(57)【要約】【課題】外部スピーカーをユーザーが着脱する場合の作業を容易にし、同時に外部スピーカーの振動を表示装置側に伝わりにくくする。【解決手段】薄型テレビ本体１１は、外部スピーカーボックス１４、１５を保持するための嵌合部１９を有し、嵌合部１９は、外部スピーカーボックス１４、１５との電気的接続手段および制振手段を兼ねる。また、外部スピーカーボックス１４、１５は、薄型テレビ本体１１に保持されるためのブラケット１７、１８を有し、ブラケット１７、１８は、薄型テレビ本体１１との電気的接続手段を兼ねる。【選択図】図４
2008109382.tif 000002
【特許請求の範囲】
【請求項１】
外部スピーカーが着脱可能な表示装置において、
前記外部スピーカーを保持するための保持部を有し、前記保持部は、前記外部スピーカーとの電気的接続手段を兼ねることを特徴とする表示装置。
【請求項２】
前記保持部は、制振手段を有することを特徴とする請求項１記載の表示装置。
【請求項３】
前記保持部は、前記外部スピーカーを使用しないときに、自身を覆う防塵手段を有することを特徴とする請求項１記載の表示装置。
【請求項４】
表示装置に着脱自在に設けられる外部スピーカーにおいて、
前記表示装置に保持されるための被保持部を有し、前記被保持部は、前記表示装置との電気的接続手段を兼ねることを特徴とする外部スピーカー。
【請求項５】
前記被保持部は、フック形状をしていることを特徴とする請求項４記載の外部スピーカー。
【請求項６】
前記被保持部は、段付きビスであることを特徴とする請求項４記載の外部スピーカー。
【発明の詳細な説明】
【技術分野】
【０００１】
本発明は、表示装置（映像機器）及び表示装置に着脱される外部スピーカーに関する。
【背景技術】
【０００２】
近年、映像を大画面で表示させるために、プラズマディスプレイパネルや液晶ディスプレイパネルなど（以下、薄型表示装置と称する）が実用化され需要が高まっている。これらの薄型表示装置では、大画面映像の迫力を相乗するため、別途、音響機器（外部スピーカー）を組み合わせるニーズが増えている。
【０００３】
この音響機器としては、サラウンドシステムに代表されるような外部アンプ及び複数の外部スピーカーからなるサラウンド外部スピーカーなどが挙げられる。この音響機器を接続するとき、薄型表示装置に付属あるいは内蔵されている外部スピーカーはチャンネルの一つとして利用するか、本体と離して利用するか、あるいは不必要となる。
【０００４】
また、商用モニターとしてこのような薄型表示装置を使用する際は、外部スピーカーは必要ではないため、外部スピーカーは着脱できるほうが好ましい。
【０００５】
このようなニーズから、外部スピーカーの薄型表示装置本体への取り付け部分の構造が簡易であって、ユーザーが行う場合は特にその組立作業が簡単であることが必要であった。
【０００６】
従来、薄型表示装置の外部スピーカー着脱構造は、金具などの外部スピーカー支持部材を使用して外部スピーカー及び機器本体をビス止めして固定させる構造が一般的である（例えば、特許文献１及び２参照）。また、音声により振動が発生するため、前記外部スピーカー支持部材には細長いシートやクッションを貼り付けて制振していた。
【０００７】
図１５は、特許文献１に記載の薄型表示装置の分解斜視図である。
【０００８】
図１５において、外部スピーカーボックス１は、上下に設けられた結合部３を用いて表示装置本体２に固定される。外部スピーカー端子４は外部スピーカーボックス１中央部に独立して設けている。また、外部スピーカーボックス１を着脱した際はカバー部材８が装着される。
【０００９】
図１６は、特許文献２に記載の薄型表示装置の分解図である。
【００１０】
外部スピーカーボックス１を表示装置本体２へ固定する際に、ブラケット金具７に設けられている係合ピン５を係合孔６へ挿入し仮固定させている。最後にブラケット金具７を表示装置本体２へビス止めすることにより本固定する。
【００１１】
このように、従来技術によれば、外部スピーカー固定部材（ブラケット金具７）と外部スピーカー端子は独立しており、本固定の際にはビスが使用される。
【特許文献１】特開２００４−３６３９５２号公報
【特許文献２】特開２００６−４１９６５号公報
【発明の開示】
【発明が解決しようとする課題】
【００１２】
図１５や図１６に示す従来の外部スピーカー着脱自在の薄型表示装置では、ユーザーが外部スピーカー（外部スピーカーボックス）の着脱作業を行う際に、外部スピーカー固定部材をビス止めし、あるいはビスを外す必要があった。そのため、ユーザーは工具などを用いて作業する必要があった。また、ビスを使用するためにその分、部品点数も増える。
【００１３】
その一方、薄型表示装置本体と外部スピーカーとの結線を行う必要があるので、それぞれの端子に外部スピーカーケーブルを接続する必要があった。外部スピーカーケーブルを用いると薄型表示装置本体の裏側は外部スピーカーケーブルが外部に露出することになり、外観上好ましくない。
【００１４】
さらに、ビデオデッキなどの外部機器との接続がある場合は、そのような機器との間の結線も発生するため、複数のケーブルが煩雑になり、ケーブル同士が絡まるなどの問題も考えられる。
【００１５】
また、音声により外部スピーカーから発生する振動が薄型表示装置本体へ伝達し、振動音が発生する場合、これを防ぐ目的で、外部スピーカー支持部材や薄型表示装置本体にシートやクッションを貼る必要がある。５０インチを超えるような大型の薄型表示装置の場合、これらのシートやクッションは細長いため、ユーザーがその作業を行うのは困難である。
【００１６】
本発明の目的は、外部スピーカーをユーザーが着脱する場合の作業を容易にし、同時に外部スピーカーの振動を表示装置（薄型表示装置）側に伝わりにくくすることにある。
【課題を解決するための手段】
【００１７】
上記目的を達成するために、請求項１記載の表示装置は、外部スピーカーが着脱可能な表示装置において、前記外部スピーカーを保持するための保持部を有し、前記保持部は、前記外部スピーカーとの電気的接続手段を兼ねることを特徴とする。
【００１８】
請求項４記載の外部スピーカーは、表示装置に着脱自在に設けられる外部スピーカーにおいて、前記表示装置に保持されるための被保持部を有し、前記被保持部は、前記表示装置との電気的接続手段を兼ねることを特徴とする。
【発明の効果】
【００１９】
本発明の表示装置は、外部スピーカーを保持するための保持部を有し、保持部は、外部スピーカーとの電気的接続手段を兼ねる。また、外部スピーカーは、表示装置に保持されるための被保持部を有し、被保持部は、表示装置との電気的接続手段を兼ねる。
【００２０】
このように、保持部及び被保持部は、端子の機能を備えているので、外部スピーカー着脱の際にケーブルの接続及び取り外しの作業を行う必要がない。従って、外部スピーカーをユーザーが着脱する場合の作業を容易にすることができる。
【００２１】
また、保持部は、制振手段を有するので、外部スピーカーの振動を表示装置側に伝わりにくくすることができる。
【発明を実施するための最良の形態】
【００２２】
以下、本発明の実施の形態を図面を参照しながら詳細に説明する。
【００２３】
図１は、本発明の実施の形態に係る薄型テレビの正面外観図、図２は、本発明の実施の形態に係る薄型テレビの背面外観図である。
【００２４】
図１、図２において、薄型テレビは、薄型テレビ本体（表示装置）１１と、外部スピーカーボックス（外部スピーカー）１４、１５を備えている。
【００２５】
薄型テレビ本体１１、スタンド１２により支持されている。薄型テレビ本体１１にはモジュール１３が内蔵されている。モジュールとは例えばプラズマディスプレイパネルや液晶パネルなどの表示モジュールを指す。そして、薄型テレビ本体１１の左右外側には外部スピーカーボックス１４、１５が取り付けられており、薄型テレビ本体１１の裏側はリアカバー１６で覆われている。
【００２６】
次に、図３及び図４を用いて、外部スピーカーボックス１４、１５を薄型テレビ本体１１へ取り付ける場合について説明する。
【００２７】
図３は、図１、図２における外部スピーカーボックスの正面図である。また、図４は、図１、図２における外部スピーカーボックスを薄型テレビ本体へ取り付ける際の後方斜視図である。
【００２８】
図３、図４において、外部スピーカーボックス１５の左側面にはブラケット１７、１８が取り付けられており、これらのブラケット１７、１８はフック形状をしている。薄型テレビ本体１１の左右側面には嵌合部１９があり、ブラケット１７、１８はこの嵌合部１９に嵌合され、これにより、外部スピーカーボックス１５は薄型テレビ本体１１に固定される。外部スピーカーボックス１４も同様である。
【００２９】
次に、薄型テレビ本体１１に設けられた嵌合部１９の詳細を説明する。
【００３０】
図５は、図１、図２における薄型テレビのリアカバーを外した上体の背面図である。
【００３１】
外部スピーカーボックス１４、１５が左右に着脱できるように、薄型テレビ本体１１の左右側面にそれぞれ２箇所の嵌合部１９が設けられている。
【００３２】
図６は、図４、図５における嵌合部の第１の実施形態に係る詳細構成図であり、図７は、図６の嵌合部の分解斜視図である。
【００３３】
図６、図７において、ベゼル２０にはリブ２０ａと２０ｂが形成されており、そのリブ２０ａと２０ｂに囲われた箇所に制振材２１が挿入される。外部スピーカーボックス１４、１５のブラケット１７、１８はこの制振材２１へ挿入されることで、外部スピーカーボックス１４、１５自体を固定させている。図では、ブラケット１８が制振材２１に挿入される様子を示す。
【００３４】
図８は、図６、図７における制振材の詳細斜視図、図９は、図６、図７におけるブラケットの詳細斜視図である。
【００３５】
ブラケット１８が制振材２１に挿入する際は、制振材２１の蓋２１ｂを押しのけ、リブ２１ａにより強嵌合される。この制振材２１は外部スピーカーボックス１４、１５からの振動を吸収する目的のため、使用する材質はゴムやエラストマのような材質が望ましい。
【００３６】
ベゼル２０の内側面には、端子２２（２２ａ、２２ｂ）（図６、図７）が設けられており、ブラケット１８の裏に設置されている端子１８ａ及び１８ｂと接触することにより、音声信号が外部スピーカーボックス１４、１５へ伝わる。なお、ブラケット１８が金属の場合、端子１８ａ及び１８ｂの間に絶縁材を入れることも可能である。ブラケット１７も同様である。
【００３７】
このように、端子を有するブラケット１７、１８に制振材２１へ嵌合することで、外部スピーカーボックス１４、１５の薄型テレビ本体１１への着脱が簡便になり、同時に外部スピーカーボックス１４、１５の振動も吸収できる。
【００３８】
図１０は、図４、図５における嵌合部の第２の実施形態に係る詳細構成図、図１１は、図１０の嵌合部の分解斜視図である。
【００３９】
図１０、図１１において、嵌合部１９には、ブラケット２４と制振材２３及び２５とシャフト２７があり、制振材２５は、ブラケット２４の側面に固定されており、制振材２３は、ベゼル２０の内側に固定されている。
【００４０】
ブラケット２４は、金具２６が取り付けられており、シャフト２７の軸受になっている。また、このシャフト２７は、ベゼル２０側のボス２２ｃに挿入され、これを回転中心として回転運動する。
【００４１】
図１２は、図１における外部スピーカーボックスのブラケットが、図１０、図１１の嵌合部に挿入された状態の詳細図である。
【００４２】
ブラケット１８（外部スピーカーボックス側）が挿入されるとブラケット２４（嵌合部側）の底面に当たり、外部スピーカーボックス１５の自重でブラケット２４はブラケット１８を挟み込むように動作する。すると、ブラケット１８は、ブラケット２４に固定されている制振材２５とベゼル２０に固定されている制振材２３に挟み込まれて固定される。
【００４３】
また、外部スピーカーボックス１４、１５を使用しない場合は、別部品としての蓋２８（図１１）によって嵌合部１９は被覆される。このように、制振材２３、２５は外部スピーカーボックス１４、１５からの振動を抑制でき、ブラケット１７、１８を嵌合部１９に嵌合することで、外部スピーカーボックス１４、１５を固定することが可能である。
【００４４】
図１３は、図４、図５における嵌合部の第３の実施形態に係る詳細構成図、図１４は、図１３の嵌合部の分解斜視図である。
【００４５】
図１３、図１４において、外部スピーカーボックス１５には端子３１ａ及び３１ｂを取り付ける穴１５ａ及び１５ｂが空いている。端子３１ａ及び３１ｂは段付きビスであり、穴１５ａ及び１５ｂにはビス止めにて固定される。外部スピーカーボックス１４も同様である。
【００４６】
この端子３１ａ及び３１ｂは薄型テレビ本体側の係合孔２０ｃ及び２０ｄへ挿入される。端子３０ａ及び３０ｂと係合孔２０ｃ及び２０ｄは電気的接続を取っており、これにより、薄型テレビ本体１１の音声信号が外部スピーカーボックス１４、１５に伝達される。
【００４７】
端子３１ａ及び３１ｂはそれぞれ＋端子及び−端子である。また、端子３１ａ及び３１ｂが係合される穴２０ｃ及び２０ｄの内部には制振材２９があり、端子３１ａ及び３１ｂはこれにより制振される。外部スピーカーボックス１４、１５が使用されないときは制振材２９の一部が蓋になり、防塵の役割をする。また、防塵用の蓋は制振材と一体でなくてもよく、別部品として蓋があってもよい。
【００４８】
本発明は、外部スピーカーボックスを左右に配置したサイド外部スピーカー型の薄型表示装置以外に、外部スピーカーボックスを下部に配置したアンダー外部スピーカー型の薄型表示装置にも利用可能である。
【図面の簡単な説明】
【００４９】
【図１】本発明の実施の形態に係る薄型テレビの正面外観図である。
【図２】本発明の実施の形態に係る薄型テレビの背面外観図である。
【図３】図１、図２における外部スピーカーボックスの正面図である。
【図４】図１、図２における外部スピーカーボックスを薄型テレビ本体へ取り付ける際の後方斜視図である。
【図５】図１、図２における薄型テレビのリアカバーを外した上体の背面図である。
【図６】図４、図５における嵌合部の第１の実施形態に係る詳細構成図である。
【図７】図６の嵌合部の分解斜視図である。
【図８】図６、図７における制振材の詳細斜視図である。
【図９】図６、図７におけるブラケットの詳細斜視図である。
【図１０】図４、図５における嵌合部の第２の実施形態に係る詳細構成図である。
【図１１】図１０の嵌合部の分解斜視図である。
【図１２】図１における外部スピーカーボックスのブラケットが、図１０、図１１の嵌合部に挿入された状態の詳細図である。
【図１３】図４、図５における嵌合部の第３の実施形態に係る詳細構成図である。
【図１４】図１３の嵌合部の分解斜視図である。
【図１５】従来例に係る薄型表示装置を示す図である（その１）。
【図１６】従来例に係る薄型表示装置を示す図である（その２）。
【符号の説明】
【００５０】
１  外部スピーカーボックス
２  表示装置本体
３  結合部
４  外部スピーカー端子
５  係合ピン
６  係合孔
７  ブラケット金具
８  カバー部材
１１  薄型テレビ本体
１２  スタンド
１３  モジュール
１４，１５  外部スピーカーボックス
１６  リアカバー
１７、１８  ブラケット（被保持部）
１９  嵌合部（保持部）
２０  ベゼル
２１、２３、２５、２９  制振材
２２、３０、３１  端子
２６  金具
２７  シャフト
２８  蓋
【図１】
2008109382.tif 000003
【図２】
2008109382.tif 000004
【図３】
2008109382.tif 000005
【図４】
2008109382.tif 000006
【図５】
2008109382.tif 000007
【図６】
2008109382.tif 000008
【図７】
2008109382.tif 000009
【図８】
2008109382.tif 000010
【図９】
2008109382.tif 000011
【図１０】
2008109382.tif 000012
【図１１】
2008109382.tif 000013
【図１２】
2008109382.tif 000014
【図１３】
2008109382.tif 000015
【図１４】
2008109382.tif 000016
【図１５】
2008109382.tif 000017
【図１６】
2008109382.tif 000018